(57)【要約】【課題】情報記録再生装置の高さを抑えながら組み立て作業性が良く、信頼性の高い情報記録再生装置を提供する。【解決手段】情報記録媒体の対向する面に光を照射するヘッドを先端に備えた少なくとも２つのアームと、ヘッドに光を光ファイバを介して照射する光源と、を備えた情報記録再生装置において、光源は、アームの対向する面上の重ならない位置に配置されていることを特徴とする情報記録再生装置。【選択図】図５
2008097772.tif 000002
【特許請求の範囲】
【請求項１】
情報記録媒体の対向する面に光を照射するヘッドを先端に備えた少なくとも２つのアームと、
前記ヘッドに前記光を光ファイバを介して照射する光源と、を備えた情報記録再生装置において、
前記光源は、前記アームの対向する面上の重ならない位置に配置されていることを特徴とする情報記録再生装置。
【請求項２】
前記２つのアームの形状は同一形状であり、前記光源は前記２つのアームの略同じ位置に配置されていることを特徴とする請求項１に記載の情報記録再生装置。
【発明の詳細な説明】
【技術分野】
【０００１】
本発明は、情報記録再生装置に関する。
【背景技術】
【０００２】
磁気記録方式では、記録密度が高くなると磁気ビットが外部温度等の影響を顕著に受けるようになる。このため高い保磁力を有する記録媒体が必要になるが、そのような記録媒体を使用すると記録時に必要な磁界も大きくなる。記録ヘッドによって発生する磁界は飽和磁束密度によって上限が決まるが、その値は材料限界に近づいており飛躍的な増大は望めない。そこで、記録時に局所的に加熱して磁気軟化を生じさせ、保磁力が小さくなった状態で記録し、その後に加熱を止めて自然冷却することにより、記録した磁気ビットの安定性を保証する方式が提案されている。この方式は熱アシスト磁気記録方式と呼ばれている。
【０００３】
熱アシスト磁気記録方式では、記録媒体の加熱を瞬間的に行うことが望ましい。また、加熱する機構と記録媒体とが接触することは許されない。このため、加熱は光の吸収を利用して行われるのが一般的であり、加熱に光を用いる方式は光アシスト磁気記録方式と呼ばれている。
【０００４】
光アシスト磁気記録方式に用いられるヘッドは、レーザ光源からのレーザ光を、ヘッド本体部に形成された開口部に導いて、開口部から記録媒体にレーザ光を射出している。レーザ光源は、例えばヘッドを支持するアーム上に設けられ、レーザ光源から射出した光は光ファイバで開口部に導かれる。あるいは、レーザ光源から射出した光は、光ファイバでプリズム等の光学素子に導かれ、光学素子で光路を変更されて開口部に導かれる。
【０００５】
このような光アシスト磁気記録ヘッドを用いて、両面に記録再生可能な複数枚の磁気記録ディスクに同時に記録再生する情報記録再生装置が利用されている（例えば、特許文献１参照）。
【０００６】
図１０に、従来の情報記録再生装置の構成の概略を示す。図１０は複数枚の記録媒体５１の両面に記録再生する従来の情報記録再生装置１００の断面図である。記録媒体５１はそれぞれスピンドル５２に取り付けられ、スピンドル５２はモータ８１により駆動されている。また、各記録媒体５１の両面に記録再生を行う各ヘッド５３のアーム１９は駆動軸５４に取り付けられ、駆動軸５４はモータ８０により駆動されている。アーム１９には光源５５が配置され、アーム１９の先端にはヘッド５３が取り付けられている。光源５５とヘッド５３は図１０には図示せぬ光ファイバ５６により接続され、光源から射出した光はヘッド５３に入射し、開口部から記録媒体５１にレーザ光を射出する。
【０００７】
次に、従来の情報記録再生装置１００の詳細について拡大図を用いて説明する。図１１は図１０で説明した情報記録再生装置１００の一部を拡大した断面図である。図１１には情報記録再生装置１００の記録媒体５１ａ、５１ｂの両面に記録再生する４つのヘッド５３ａ、５３ｂ、５３ｃ、５３ｄと、アーム１９ａ、１９ｂ、１９ｃ、１９ｄを駆動軸５４に取り付けた部分までを図示している。
【０００８】
各ヘッド５３の記録媒体５１と対向する面と反対側の面には光ファイバ５６が挿入されている。光源５５はアーム１９上に配置されているが、光源５５の取り付け面はヘッド５３毎に異なっている。例えばヘッド５３ａの場合、図１１のようにヘッド５３ａに光ファイバ５６ａを挿入する面と同じアーム１９ａの面側に光源５５ａを配置している。一方、ヘッド５３ｂの場合、図１１のようにヘッド５３ｂに光ファイバ５６ｂを挿入する面と反対側のアーム１９ｂの面側に光源５５ｂを配置している。そのため、アーム１９ｂに穴２０ｂを設け、光源５５ｂに接続した光ファイバ５６ｂを穴２０ｂを通してヘッド５３ｂまで配線していた。光源５５ｃ、５５ｄも同様にヘッド５３ｃ、５３ｄに光ファイバ５６ｃ、５６ｄを挿入する面と反対側のアーム１９ｃ、１９ｄの面側にそれぞれ配置している。
【０００９】
このようにすると、アーム１９ｂとアーム１９ｃの間の距離Ｈを短縮できるので、従来各磁気記録ディスクの間に配置するヘッド５３の光源５５は、ヘッド５３に光ファイバ５６を挿入する面と反対側のアーム１９の面側に配置していた。
【特許文献１】特開２００２−１１７５０２号公報
【発明の開示】
【発明が解決しようとする課題】
【００１０】
しかしながら、ヘッドに光を入射する側と反対側のアームの面に光源を設けると、光ファイバをアームの穴に通して配線する部分などの折り曲げ角度が急になってしまう。そのため、光ファイバが外れないように、例えば、光ファイバの複数ヵ所をアームに接着するなどの作業が必要であり、組み立て作業性と信頼性の点で問題があった。
【００１１】
本発明は、上記課題に鑑みてなされたものであって、組み立て作業性が良く、信頼性の高い小型の情報記録再生装置を提供することを課題とする。
【課題を解決するための手段】
【００１２】
１．
情報記録媒体の対向する面に光を照射するヘッドを先端に備えた少なくとも２つのアームと、
前記ヘッドに前記光を光ファイバを介して照射する光源と、を備えた情報記録再生装置において、
前記光源は、前記アームの対向する面上の重ならない位置に配置されていることを特徴とする情報記録再生装置。
【００１３】
２．
前記２つのアームの形状は同一形状であり、前記光源は前記２つのアームの略同じ位置に配置されていることを特徴とする１に記載の情報記録再生装置。
【発明の効果】
【００１４】
本発明によれば、対向するアームの面上にそれぞれの光源を重ならないように位置をずらして配置しているので、組み立て作業性が良く、信頼性の高い小型の情報記録再生装置を提供できる。
【発明を実施するための最良の形態】
【００１５】
以下、図面に基づき本発明の実施形態を説明する。
【００１６】
〔情報記録再生装置の概略構成〕
図１及び図２に、本発明に係わる情報記録再生装置の構成の概略を示す。図１は情報記録再生装置１００の上面の図であり、図２は、情報記録再生装置１００の図１におけるＡ−Ａ’方向の断面図である。
【００１７】
情報記録再生装置１００は、記録媒体５１、情報の記録や再生を行うためのヘッド５３、駆動軸５４及び光源５５を主に備える。図１に示すように、ヘッド５３は、アーム１９のサスペンション部１８に支持され、アーム１６は駆動軸５４に取り付けられている。記録媒体５１が停止しているとき、ヘッド５３はサスペンション部１８によって下方に付勢されているので、ヘッド５３の底面は記録媒体５１に接している。記録媒体５１が矢印Ｃ方向に回転を開始すると、ヘッド５３は底面に発生する空気流により例えば１０〜３０ｎｍ程度の微小間隔で浮上し、記録媒体５１の磁性膜との距離を一定に保つ。
【００１８】
光源５５は例えば半導体レーザ素子などのレーザ光源である。光源５５から出射したレーザ光は、光ファイバ５６によりヘッド５３に導かれる。
【００１９】
図２は複数枚の記録媒体５１の両面に記録再生する情報記録再生装置１００の断面図である。記録媒体５１はそれぞれスピンドル５２に取り付けられ、スピンドル５２はモータ８１により駆動されている。また、各記録媒体５１の両面に記録再生を行う各ヘッド５３のアーム１９は駆動軸５４に取り付けられ、駆動軸５４はモータ８０により駆動されている。図示せぬ制御装置は、記録媒体５１に記録されているサーボパターンをヘッド５１に搭載された再生素子で読み出し、読み出されたサーボ信号に基づいてヘッド５３の記録媒体５１上の位置検出を行う。制御装置は位置検出の結果に基づいて、モータ８０を駆動して駆動軸５４を回転させ、所定の位置まで各ヘッド５３を図１の矢印Ｂ方向に移動させる。
【００２０】
〔ヘッドの概略〕
ヘッド５３の概略構成の一例を図３に示す。
【００２１】
ヘッド５３は、アーム１９のサスペンション部１８に支持されている。ヘッド５３には、記録素子１０３、再生素子１０４が設けられている。また、ヘッド５３には、上下面を貫通する穴１０６が形成されており、穴１０６は、大径部１０６ａと小径部１０６ｂとに分けられ、大径部１０６ａの底面にはプリズム１０５が収容されている。小径部１０６ｂは、約２００ｎｍの口径で形成されており、ヘッド５３の底面において開口部１０２を区画する。更に、ヘッド５３には、光ファイバ５６が埋設されており、光ファイバ５６から射出されたレーザ光がプリズムに入射されるように、光ファイバ５６の射出端がヘッド５３内に配置されている。光ファイバは直径６０〜３００μｍ程度のものが用いられる。
【００２２】
情報記録時には、光ファイバ５６を介してプリズム１０５にレーザ光が照射される。プリズム内で屈折及び反射したレーザ光は、穴１０６の小径部１０６ｂによりガイドされるとともに、レーザビーム径が制限される。それゆえ、記録媒体５１上で所定のスポットサイズの光スポットを形成することができる。
【００２３】
このように、開口部１０２を通じてレーザ光を媒体上に照射し、記録媒体５１の微小領域を加熱するとともに、当該加熱された微小領域に記録素子１０３で磁界を印加する。
【００２４】
図３ではプリズム１０５を用いた例について説明したが、光学素子はプリズム１０５に限定されるものではなくミラーやレンズなどを用いても良い。また、図４に示すように光学素子を用いないヘッド５３を用いても良い。
【００２５】
図４に示すヘッド５３は、ヘッド５３の上方から下方に向かって貫通した貫通穴１１１を形成し、貫通穴１１１に光ファイバ５６を、その先端部５６ａが開口部１０２に達するまで挿入している。
【００２６】
次に、本発明の情報記録再生装置１００の詳細について拡大図を用いて説明する。図５は図２で説明した情報記録再生装置１００の一部を拡大した断面図である。図５には情報記録再生装置１００の任意の２枚の記録媒体５１ａ、５１ｂの両面に記録再生する４つのヘッド５３ａ、５３ｂ、５３ｃ、５３ｄと、アーム１９ａ、１９ｂ、１９ｃ、１９ｄを駆動軸５４に取り付けた部分までを図示している。
【００２７】
ヘッド５３ｂは記録媒体５１ａの紙面下側の面に光を照射する第１のヘッドである。ヘッド５３ｃは記録媒体５１ｂの紙面上側の面に光を照射する第２のヘッドである。このように、ヘッド５３ｂとヘッド５３ｃは記録媒体５１ａと記録媒体５１ｂの対向する面にそれぞれ光を照射する。
【００２８】
ヘッド５３ｂの光源５５ｂとヘッド５３ｃの光源５５ｃは、図５に示すように、アーム１９ｂ、１９ｃの対向する面側に、重ならないように位置をずらして配置されているのでアーム１９ｂとアーム１９ｃの間の距離Ｈが短縮されている。また、光源５５ｂ、５５ｃは、ヘッド５３ｂ、５３ｃの光ファイバ５６ｂ、５６ｃを挿入する面と同じ側に配置されているので、光ファイバ５６ｂ、５６ｃを折り曲げる角度が緩やかになっている。そのため、光ファイバ５６ｂ、５６ｃとアーム１９ｂ、１９ｃとの接着個所は１個所で十分であり組み立て作業性が良く、信頼性が高い。
【００２９】
図６、図７を用いてアーム１９ｂ、１９ｃ上に配置された光源５５ｂ、５５ｃの位置関係を説明する。図６、図７は、図５の断面図で説明した情報記録再生装置１００のヘッド５３ｂの開口部１０２の側から光源５５ｂ、５５ｃの位置関係を図示した平面図である。図６、図７はアーム１９ｂの側から見た図であり、光源５５ｃ、５５ｂ、光ファイバ５６ｃ、５６ｂを透視した位置を図示している。
【００３０】
図６は本発明の第１の実施形態の平面図である。図６に示すように光源５５ｂはアーム１９ｂの光源５５ｃと重ならない位置に配置されている。光源５５ｂと光源５５ｃは互いに重ならない位置であればアーム１９上のどの位置でも良いが、サスペンション部１８に近い位置であれば光ファイバ５６の長さを短くすることができる。一方、光源５５を駆動軸５４の回転中心Ｘに近い位置に配置すると、駆動軸５４の回転による光源５５の移動が少なくなりモータ８０によるヘッド５３の位置制御が容易になる。これらの点を考慮して最適な位置に光源５５を配置することが好ましい。図６ではアーム１９ｃはアーム１９ｂと同形状の場合を例示しているが、同形状に限定されるものではなく、別の形状であっても良い。
【００３１】
図７は本発明の第２の実施形態の平面図である。第２の実施形態では同一形状のアーム１９ｂ、１９ｃを取り付けた時、対称な位置関係になるように光源５５ｂ、５５ｃを配置した例である。アーム１９ｂ、１９ｃは、開口部１０２と駆動軸５４の回転中心Ｘを結ぶ軸Ｓに対して対称形であり、光源５５ｂ、５５ｃはアーム１９ｂ、１９ｃ上の同じ位置に配置されている。
【００３２】
このようにするとアーム１９ｂ、１９ｃを共通化することができるので、部品管理が容易で組み立て作業性も向上する。また、光ファイバ５６ｃと光ファイバ５６ｂの長さも同じ長さにできるので、特に光量の調整を行わなくても記録媒体５１上に照射する光量を一定にできる。
【００３３】
光源５５の位置はアーム１９上のどの位置でも良いが、サスペンション部１８に近い位置であれば光ファイバ５６の長さを短くすることができる。一方、光源５５を駆動軸５４の回転中心Ｘに近い位置に配置すると、駆動軸５４の回転による光源５５の移動が少なくなりモータ８０によるヘッド５３の位置制御が容易になる。これらの点を考慮して最適な位置に光源５５を配置することが好ましい。
【００３４】
なお、サスペンション部１８に光源５５を搭載すると質量のバランスが変わるので、サスペンション部１８に搭載することは好ましくない。
【００３５】
次に第３の実施形態について説明する。図８は第３の実施形態の情報記録再生装置１００の一部を拡大した断面図である。図５で説明した情報記録再生装置１００と比べて、光源５５ｃがヘッド５３ｃに近い位置に配置されている。図９は第３の実施形態の情報記録再生装置１００において、ヘッド５３ｂの開口部１０２の側から光源５５ｂ、５５ｃの位置関係を図示した平面図である。図９はアーム１９ｂの側から見た図であり、光源５５ｃ、５５ｂ、光ファイバ５６ｃ、５６ｂを透視した位置を図示している。このように、アーム１９ｂ、１９ｃの対向する面上の重ならない位置であれば、光源５５ｂ、５５ｃをどの位置に配置しても良い。
【００３６】
以上このように、本発明によれば、組み立て作業性が良く、信頼性の高い小型の情報記録再生装置を提供できる。
【図面の簡単な説明】
【００３７】
【図１】本発明に係る情報記録再生装置の構成例を示す説明図である。
【図２】本発明に係る情報記録再生装置の断面図である。
【図３】本発明に係る光学素子を用いるヘッドの一例の概略構成である。
【図４】本発明に係る光学素子を用いないヘッドの一例の概略構成である。
【図５】第１の実施形態、第２の実施形態の情報記録再生装置の一部を拡大した断面図である。
【図６】本発明の第１の実施形態の平面図である。
【図７】本発明の第２の実施形態の平面図である。
【図８】第３の実施形態の情報記録再生装置の一部を拡大した断面図である。
【図９】本発明の第３の実施形態の平面図である。
【図１０】従来の情報記録再生装置の断面図である。
【図１１】従来の情報記録再生装置の一部を拡大した断面図である。
【符号の説明】
【００３８】
１８  サスペンション部
１９  アーム
５１  記録媒体
５２  スピンドル
５３  ヘッド
５４  駆動軸
５５  光源
５６  光ファイバ
８０  モータ
１００  情報記録再生装置
１０２  開口部
【図１】
2008097772.tif 000003
【図２】
2008097772.tif 000004
【図３】
2008097772.tif 000005
【図４】
2008097772.tif 000006
【図５】
2008097772.tif 000007
【図６】
2008097772.tif 000008
【図７】
2008097772.tif 000009
【図８】
2008097772.tif 000010
【図９】
2008097772.tif 000011
【図１０】
2008097772.tif 000012
【図１１】
2008097772.tif 000013